【手続補正書】
【提出日】平成29年7月31日(2017.7.31)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
少なくとも２つの局に第１のメッセージを送信することと、前記第１のメッセージは、前記第１のメッセージの後に少なくとも２つの局に送信されるべき第２のメッセージを示し、
前記少なくとも２つの局に前記第２のメッセージを送信することと、
前記第２のメッセージに応答して前記少なくとも２つの局から複数のアップリンクデータを受信することと、
を備える方法。
【請求項２】
前記第２のメッセージは、前記少なくとも２つの局がアップリンクデータを送信するための特定の時間を示し、前記特定の時間は前記第２のメッセージの送信の直後の時間を備える、請求項１に記載の方法。
【請求項３】
前記第１および第２のメッセージは各々、同じ値のシーケンス識別情報を備える、請求項１に記載の方法。
【請求項４】
前記シーケンス識別情報は、前記第２のメッセージのプリアンブルの少なくとも一部分のハッシュを備える、請求項３に記載の方法。
【請求項５】
前記第２のメッセージは、ヌルデータパケット（ＮＤＰ）フレームを備える、請求項１に記載の方法。
【請求項６】
前記第１のメッセージの送信と前記第２のメッセージの送信との間に、１つまたは複数の介在するメッセージを送信または受信することをさらに備える、請求項１に記載の方法。
【請求項７】
１つまたは複数のトリガメッセージを送信することと、
前記トリガメッセージの各々に応答して前記少なくとも２つの局から複数のアップリンクデータを受信することと、
をさらに備える、請求項１に記載の方法。
【請求項８】
ワイヤレス通信のための装置であって、
少なくとも２つの局に第１のメッセージを送信するための手段と、前記第１のメッセージは、前記第１のメッセージの後に少なくとも２つの局に送信されるべき第２のメッセージを示し、
前記少なくとも２つの局に前記第２のメッセージを送信するための手段と、
前記第２のメッセージに応答して前記少なくとも２つの局から複数のアップリンクデータを受信するための手段と、
を備える装置。
【請求項９】
前記第２のメッセージは、前記少なくとも２つの局がアップリンクデータを送信するための特定の時間を示し、前記特定の時間は前記第２のメッセージの送信の直後の時間を備える、請求項８に記載の装置。
【請求項１０】
前記第１および第２のメッセージは各々、同じ値のシーケンス識別情報を備える、請求項８に記載の装置。
【請求項１１】
前記シーケンス識別情報は、前記第２のメッセージのプリアンブルの少なくとも一部分のハッシュを備える、請求項１０に記載の装置。
【請求項１２】
前記第２のメッセージはヌルデータパケット（ＮＤＰ）フレームを備える、請求項８に記載の装置。
【請求項１３】
送信するための前記手段は、送信機を備え、受信するための前記手段は、受信機を備え、
前記送信機と受信機とのうちの少なくとも１つはさらに、前記第１のメッセージの送信と前記第２のメッセージの送信との間に１つまたは複数の介在するメッセージを送信または受信するように構成される、請求項８に記載の装置。
【請求項１４】
送信するための前記手段は、送信機を備え、受信するための前記手段は、受信機を備え、
前記送信機はさらに、１つまたは複数のトリガメッセージを送信するように構成され、
前記受信機はさらに、前記トリガメッセージの各々に応答して前記少なくとも２つの局から複数のアップリンクデータを受信するように構成される、請求項８に記載の装置。
【請求項１５】
コンピュータ上で実行されると、請求項１−７のうちの１つに従った方法を実行するための命令を備える、コンピュータプログラム。
【手続補正２】
【補正対象書類名】明細書
【補正対象項目名】０１２６
【補正方法】変更
【補正の内容】
【０１２６】
[0145]上記は、本開示の態様を対象とするが、本開示の基本的な範囲を逸脱することなく、本開示の他の態様およびさらなる態様が考案されてよく、本開示の範囲は以下の特許請求の範囲によって決定される。
以下に本願の出願当初の特許請求の範囲に記載された発明を付記する。
［Ｃ１］
ワイヤレス通信の方法であって、
少なくとも２つの局に第１のメッセージを送信することと、前記第１のメッセージは、前記第１のメッセージの後に少なくとも２つの局に送信されるべき第２のメッセージを示し、
前記少なくとも２つの局に前記第２のメッセージを送信することと、
前記第２のメッセージに応答して前記少なくとも２つの局から複数のアップリンクデータを受信することと、
を備える方法。
［Ｃ２］
前記第２のメッセージは、前記少なくとも２つの局がアップリンクデータを送信するための特定の時間を示し、前記特定の時間は前記第２のメッセージの送信の直後の時間を備える、Ｃ１に記載の方法。
［Ｃ３］
前記第２のメッセージの直後の前記時間は、前記メッセージの前記送信後、短フレーム間空間（ＳＩＦＳ）またはポイントフレーム間空間（ＰＩＦＳ）以内である、Ｃ２に記載の方法。
［Ｃ４］
前記第２のメッセージは、前記アップリンクデータのための割振り情報を備える、Ｃ１に記載の方法。
［Ｃ５］
前記第１および第２のメッセージは各々、同じ値のシーケンス識別情報を備える、Ｃ１に記載の方法。
［Ｃ６］
前記シーケンス識別情報は、前記第２のメッセージのプリアンブルの少なくとも一部分のハッシュを備える、Ｃ５に記載の方法。
［Ｃ７］
前記第２のメッセージは、ヌルデータパケット（ＮＤＰ）フレームを備える、Ｃ１に記載の方法。
［Ｃ８］
前記少なくとも２つの局から前記第１のメッセージに対する確認応答を受信することをさらに備える、Ｃ１に記載の方法。
［Ｃ９］
前記第１のメッセージを送信することは、前記少なくとも２つの局の各々に前記第１のメッセージをユニキャストすることを備える、Ｃ８に記載の方法。
［Ｃ１０］
前記第２のメッセージは、ダウンリンク（ＤＬ）物理層プロトコルデータユニット（ＰＰＤＵ）を備える、Ｃ１に記載の方法。
［Ｃ１１］
前記第２のメッセージは、多ユーザ（ＭＵ）ダウンリンク（ＤＬ）物理層プロトコルデータユニット（ＰＰＤＵ）を備える、Ｃ１に記載の方法。
［Ｃ１２］
前記第１のメッセージの送信と前記第２のメッセージの送信との間に、１つまたは複数の介在するメッセージを送信または受信することをさらに備える、Ｃ１に記載の方法。
［Ｃ１３］
１つまたは複数のトリガメッセージを送信することと、
前記トリガメッセージの各々に応答して前記少なくとも２つの局から複数のアップリンクデータを受信することと、
をさらに備える、Ｃ１に記載の方法。
［Ｃ１４］
ワイヤレスに通信するように構成される装置であって、
少なくとも２つの局に第１のメッセージを送信し、前記第１のメッセージは、前記第１のメッセージの後に少なくとも２つの局に送信されるべき第２のメッセージを示し、    前記少なくとも２つの局に前記第２のメッセージを送信する、
ように構成される送信機と、
前記第２のメッセージに応答して、前記少なくとも２つの局から複数のアップリンクデータを受信するように構成される受信機と、
を備える装置。
［Ｃ１５］
前記第２のメッセージは、前記少なくとも２つの局がアップリンクデータを送信するための特定の時間を示し、前記特定の時間は前記第２のメッセージの送信の直後の時間を備える、Ｃ１４に記載の装置。
［Ｃ１６］
前記第２のメッセージの直後の前記時間は、前記メッセージの前記送信後、短フレーム間空間（ＳＩＦＳ）またはポイントフレーム間空間（ＰＩＦＳ）以内である、Ｃ１５に記載の装置。
［Ｃ１７］
前記第２のメッセージは、前記アップリンクデータのための割振り情報を備える、Ｃ１４に記載の装置。
［Ｃ１８］
前記第１および第２のメッセージは各々、同じ値のシーケンス識別情報を備える、Ｃ１４に記載の装置。
［Ｃ１９］
前記シーケンス識別情報は、前記第２のメッセージのプリアンブルの少なくとも一部分のハッシュを備える、Ｃ１８に記載の装置。
［Ｃ２０］
前記第２のメッセージはヌルデータパケット（ＮＤＰ）フレームを備える、Ｃ１４に記載の装置。
［Ｃ２１］
前記受信機はさらに、前記少なくとも２つの局から前記第１のメッセージに対する確認応答を受信するように構成される、Ｃ１４に記載の装置。
［Ｃ２２］
前記送信機はさらに、前記少なくとも２つの局の各々に前記第１のメッセージをユニキャストするように構成される、Ｃ２１に記載の装置。
［Ｃ２３］
前記第２のメッセージは、ダウンリンク（ＤＬ）物理層プロトコルデータユニット（ＰＰＤＵ）を備える、Ｃ１４に記載の装置。
［Ｃ２４］
前記第２のメッセージは、多ユーザ（ＭＵ）ダウンリンク（ＤＬ）物理層プロトコルデータユニット（ＰＰＤＵ）を備える、Ｃ１４に記載の装置。
［Ｃ２５］
前記送信機と受信機の少なくとも１つはさらに、前記第１のメッセージの送信と前記第２のメッセージの送信との間に１つまたは複数の介在するメッセージを送信または受信するように構成される、Ｃ１４に記載の装置。
［Ｃ２６］
前記送信機はさらに、１つまたは複数のトリガメッセージを送信するように構成され、  前記受信機はさらに、前記トリガメッセージの各々に応答して前記少なくとも２つの局から複数のアップリンクデータを受信するように構成される、Ｃ１４に記載の装置。
［Ｃ２７］
ワイヤレス通信のための装置であって、
少なくとも２つの局に第１のメッセージを送信するための手段と、前記第１のメッセージは、前記第１のメッセージの後に少なくとも２つの局に送信されるべき第２のメッセージを示し、
前記少なくとも２つの局に前記第２のメッセージを送信するための手段と、
前記第２のメッセージに応答して前記少なくとも２つの局から複数のアップリンクデータを受信するための手段と、
を備える装置。
［Ｃ２８］
前記第２のメッセージは、前記少なくとも２つの局がアップリンクデータを送信するための特定の時間を示し、前記特定の時間は前記第２のメッセージの送信の直後の時間を備える、Ｃ２７に記載の装置。
［Ｃ２９］
前記第２のメッセージの直後の前記時間は、前記メッセージの前記送信後、短フレーム間空間（ＳＩＦＳ）またはポイントフレーム間空間（ＰＩＦＳ）以内である、Ｃ２８に記載の装置。
［Ｃ３０］
実行されると、装置に、
少なくとも２つの局へ第１のメッセージを送信させ、前記第１のメッセージは、前記第１のメッセージの後に少なくとも２つの局に送信されるべき第２のメッセージを示し、
前記少なくとも２つの局へ前記第２のメッセージを送信させ、
前記第２のメッセージに応答して前記少なくとも２つの局から複数のアップリンクデータを受信させる、
コードを備える非一時的コンピュータ可読媒体。